(57)【要約】【課題】設計自由度が比較的高く、使用者が楽に使用できる美容器を提供する。【解決手段】美容器１は、グリップ１０と、第１アーム２０と、第２アーム３０と、第１施術体４０と、第２施術体５０と、を備える。第１アーム２０は、第１変形部２２と、一端側に第１施術体４０が設けられ、他端側が第１変形部２２に接続される第１支持部２４と、を含む。第２アーム３０は、第２変形部３２と、一端側に第２施術体５０が設けられ、他端側が第２変形部３２に接続される第２支持部３４と、を含む。第１変形部２２および第２変形部３２は、第１施術体４０と第２施術体５０との距離が変化するよう弾性変形可能に構成されている。【選択図】図１
2020010737.tif 000002
【特許請求の範囲】
【請求項１】
基部と、
前記基部に対して対称に設けられる第１、第２アームと、
前記第１アームの一端部に設けられる第１施術体と、
前記第２アームの一端部に設けられる第２施術体と、
を備え、
前記第１アームは、第１変形部と、一端側に前記第１施術体が設けられ、他端側が前記第１変形部に接続される第１支持部と、を含み、
前記第２アームは、第２変形部と、一端側に前記第２施術体が設けられ、他端側が前記第２変形部に接続される第２支持部と、を含み、
前記第１変形部および前記第２変形部は、前記第１施術体と前記第２施術体との距離が変化するよう弾性変形可能に構成されている、美容器。
【請求項２】
前記第１、第２施術体はそれぞれ、前記第１、第２アームに回転自在に支持される回転体である、請求項１に記載の美容器。
【請求項３】
前記第１、第２施術体は球状であることを特徴とする請求項１または２に記載の美容器。
【請求項４】
前記第１支持部および第２支持部の少なくとも一方には、電気部品が内蔵されている、請求項１から３のいずれかに記載の美容器。
【請求項５】
前記第１施術体と前記第２施術体との最短距離が１５０ｍｍであるとき、前記第１施術体および前記第２施術体がそれらの間に挟まれる対象を押し付ける力が１５〜２０Ｎである、請求項１から４のいずれかに記載の美容器。
【請求項６】
前記第１アームに回転自在に支持される、前記第１施術体とは別の第１施術体と、
前記第２アームに回転自在に支持される、前記第２施術体とは別の第２施術体と、
をさらに備える、請求項１から５のいずれかに記載の美容器。
【請求項７】
前記第１施術体と前記第２施術体との距離と、前記別の第１施術体と前記別の第２施術体との距離とが異なる、請求項６に記載の美容器。
【発明の詳細な説明】
【技術分野】
【０００１】
本発明は、美容器に関する。
【背景技術】
【０００２】
回転体、すなわちローラを肌にあてて転がす美容器が知られている。顔に使用すると、あご周りのフェイスラインが引き締まり、リフトアップ効果が実感できる。複数のローラが肌を摘み上げるタイプのものはマッサージ効果もあり、使っているだけでも気持ちがよい。より積極的に、リンパマッサージの要領で使えば、老廃物の排出が促進され、新陳代謝が上がり、肌艶を改善できる。脚に使えばむくみやセルライトもとれやすくなる。
【先行技術文献】
【特許文献】
【０００３】
【特許文献１】特開２０１２−２１７５１６号公報
【発明の概要】
【発明が解決しようとする課題】
【０００４】
特許文献１に記載されるローラ式マッサージ器では、アームが弾性変形し、その弾性力により施術体であるマッサージローラが体に押し付けられるため、使用者が力を入れてマッサージローラを体に押し付ける必要がなく、使用者は楽に使用できる。しかしながら、アームが変形するため、電子部品をアームに搭載した場合、電子部品が変形の影響を受ける虞がある。したがって、設計の自由度が低下する。
【０００５】
このような課題は、施術体が回転しない種類の美容器でも起こりうる。
【０００６】
本発明は、こうした状況に鑑みてなされたものであり、その目的は、設計自由度が比較的高く、使用者が楽に使用できる美容器を提供することにある。
【課題を解決するための手段】
【０００７】
上記課題を解決するために、本発明のある態様の、美容器は、基部と、基部に対して対称に設けられる第１、第２アームと、第１アームの一端部に設けられる第１施術体と、第２アームの一端部に設けられる第２施術体と、を備える。第１アームは、第１変形部と、一端側に第１施術体が設けられ、他端側が第１変形部に接続される第１支持部と、を含む。第２アームは、第２変形部と、一端側に第２施術体が設けられ、他端側が第２変形部に接続される第２支持部と、を含む。第１変形部および第２変形部は、第１施術体と第２施術体との距離が変化するよう弾性変形可能に構成されている。
【０００８】
なお、以上の構成要素の任意の組み合わせや、本発明の構成要素や表現を方法、装置、システムなどの間で相互に置換したものもまた、本発明の態様として有効である。
【発明の効果】
【０００９】
本発明によれば、設計自由度が比較的高く、使用者が楽に使用できる美容器を提供できる。
【図面の簡単な説明】
【００１０】
【図１】第１の実施の形態に係る美容器の斜視図である。
【図２】図１の美容器の正面図である。
【図３】図１の美容器の側面図である。
【図４】図１の美容器の上面図である。
【図５】図２のＡ−Ａ線断面図である。
【図６】図１の第１施術体の使用状態を示す正面図である。
【図７】図１の第１施術体の使用状態を示す上面図である。
【図８】図１の第１施術体の使用状態を示す上面図である。
【図９】第２の実施の形態に係る美容器の斜視図である。
【図１０】図９の美容器の正面図である。
【図１１】図９の美容器の側面図である。
【図１２】図９の美容器の上面図である。
【図１３】第４の実施の形態に係る美容器の正面図である。
【図１４】第５の実施の形態に係る美容器の正面図である。
【図１５】第６の実施の形態に係る美容器の正面図である。
【図１６】変形例に係る美容器を示す正面図である。
【図１７】変形例に係る美容器を示す側面図である。
【図１８】変形例に係る美容器を示す側面図である。
【図１９】変形例に係る美容器を示す正面図である。
【図２０】変形例に係る美容器を示す正面図である。
【図２１】変形例に係る美容器を示す正面図である。
【図２２】変形例に係る美容器を示す正面図である。
【図２３】変形例に係る美容器のアームの断面図である。
【発明を実施するための形態】
【００１１】
以下、各図面に示される同一または同等の構成要素、部材、工程には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１２】
（第１の実施の形態）
図１〜４は、第１の実施の形態に係る美容器１の外観図である。図１は美容器１の斜視図であり、図２は美容器１の正面図であり、図３は美容器１の側面図であり、図４は美容器１の上面図である。以下では、美容器１を顔、特に下顎に使用する場合について説明するが、これには限定されず、美容器１を人体の他の部位に使用してもよく、例えばより小さく構成して鼻や目元に使用してもよく、また例えばより大きく構成して腹部や脚に使用してもよい。
【００１３】
美容器１は、グリップ（基部）１０と、グリップ１０から延びる第１アーム２０および第２アーム３０（以下、特に区別しない場合には、単に「アーム」と呼ぶ）と、第１アーム２０の一端に設けられる２つの第１施術体４０ａ，４０ｂ（以下、特に区別しない場合には、「第１施術体４０」と呼ぶ）と、第２アーム３０の一端に設けられる２つの第２施術体５０ａ，５０ｂ（以下、特に区別しない場合には、「第２施術体５０」と呼ぶ）と、を備える。
【００１４】
以下、第１施術体４０ａと第２施術体５０ａとが向き合う方向、言い換えると第１施術体４０ａの中心と第２施術体５０ａの中心を通る方向を、第１方向あるいは左右方向として説明する。なお、第１施術体４０ｂと第２施術体５０ｂとが向き合う方向、言い換えると第１施術体４０ｂの中心と第２施術体５０ｂの中心を通る方向も、第１方向である。
【００１５】
グリップ１０は、形状は特に限定されないが、図示の例では略楕円体状に形成されている。グリップ１０は、例えばＡＢＳ樹脂等の樹脂材料により形成される。
【００１６】
第１アーム２０および第２アーム３０は、グリップ１０に対して左右対称となるように構成され、長手方向の略中央部分で両者の間隔が最大となるように湾曲している。
【００１７】
また、図３に示されるように、第２アーム３０は、第１方向から見て、グリップ１０のアーム側の端部（二股に分岐する部分）の中央部Ｃと第２施術体５０ａの中心とを結ぶ直線Ｌ１と、中央部Ｃと第２施術体５０ｂの中心とを結ぶ直線Ｌ２の二等分線Ｌ３が、グリップ１０の基準軸線Ｌ４と交差するように構成されている。なお、グリップ１０の基準軸線Ｌ４は、中央部Ｃとグリップ１０のアームとは反対側の端部とを通る直線である。図示の例では第２アーム３０は、第１方向から見て、基準軸線Ｌ４に対して第２施術体５０ａおよび第２施術体５０ｂが同じ側に位置し、かつ、基準軸線Ｌ４と直線Ｌ１とがなす鋭角α１が基準軸線Ｌ４と直線Ｌ２とがなす鋭角α２よりも小さくなるように構成されている。なお、第２アーム３０、第２施術体５０ａ、第２施術体５０ｂをそれぞれ第１アーム２０、第１施術体４０ａ、第１施術体４０ｂと読み替えることにより、第１アーム２０にも同様の説明が当てはまる。
【００１８】
第１アーム２０は、グリップ１０の一端側から延びる第１変形部２２と、第１変形部２２の先端側（グリップ１０とは反対側）に接続される第１支持部２４と、第１支持部２４の先端側から延びる２つの第１支持軸２８ａ，２８ｂと、を含む。第２アーム３０は、グリップ１０の一端側から延びる第２変形部３２と、第２変形部３２の先端側に接続される第２支持部３４と、第２支持部３４の先端側から延びる２つの第２支持軸３８ａ，３８ｂと、を含む。
【００１９】
第１変形部２２および第２変形部３２は、例えばＰＥＩ（ポリエーテルイミド）、ＰＯＭ（ポリアセタールコポリマー）、ウレタン樹脂、ポリエステル樹脂、コポリエステル樹脂、ゴムメタル（登録商標）により形成される。第１変形部２２および第２変形部３２は、第１施術体４０と第２施術体５０との距離が変化するよう弾性変形可能に構成される。第１変形部２２および第２変形部３２は特に、それらの先端同士が互いに離れるように、ひいては各アームの先端同士が互いに離れるように、さらには第１施術体４０と第２施術体５０とが互いに離れるように、弾性変形可能に構成される。具体的には、第１変形部２２および第２変形部３２は、そのように弾性変形可能なように、断面形状、太さ、および／または素材が決定される。
【００２０】
図５は、図２のＡ−Ａ線断面図である。ここでは代表して第１変形部２２を例に説明するが、第２変形部３２についても同様の説明が当てはまる。第１変形部２２は、その断面形状が、当該断面の面方向に沿った方向であって第１方向に直交する方向である第２方向Ｐ２（図２の紙面方向）に長く、当該面方向に沿った方向であって第２方向Ｐ２に直交する第３方向Ｐ３に短い形状となるように形成される。図示の例では第１変形部２２は、その断面形状が、第２方向Ｐ２に長く第３方向Ｐ３に短い略楕円形状となるよう形成されている。つまり、第１変形部２２は、第２方向に比較的厚く、第３方向に比較的薄くなるよう形成される。これにより第１変形部２２は、第１施術体４０が第２施術体５０から離れる方向に、言い換えると第２方向に平行な軸周りに弾性変形可能となる。一方、第１変形部２２は、第３方向に平行な軸周り、ひいては第１方向に平行な軸周りには、弾性変形不可能あるいは弾性変形しにくくなる。つまり図示の例では、第１変形部２２は、その形状により、弾性変形の方向が規制される。
【００２１】
図１〜４に戻る。第１支持部２４および第２支持部３４は、実質的に弾性変形不可能に、すなわち比較的高い剛性を有するように構成される。第１支持部２４および第２支持部３４は、例えばＡＢＳ樹脂等の樹脂材料により形成される。
【００２２】
２つの第１支持軸２８ａ、２８ｂは、第１支持部２４と同様に、実質的に弾性変形不可能に、すなわち比較的高い剛性を有するように構成される。２つの第１支持軸２８ａ、２８ｂは、先端側ほど互いに離れるように延在している。したがって第１支持部２４および２つの第１支持軸２８ａ、２８ｂは、全体として概ねＹ字状の所定の形状を有する。第１支持軸２８ａ，２８ｂはそれぞれ、先端側に設けられる不図示の軸受を介して、第１施術体４０ａ，４０ｂを回転自在に支持する。
【００２３】
第２支持軸３８ａ，３８ｂはそれぞれ、第１支持軸２８ａ，２８ｂと同様に構成される。第２支持軸３８ａ，３８ｂはそれぞれ、不図示の軸受を介して、第２施術体５０ａ，５０ｂを回転自在に支持する。なお、軸受は施術体側（例えば施術体内）に設けられても、支持軸側（例えば支持軸の先端）に設けられてもよい。例えば軸受が施術体側に設けられる場合、施術体から突出するローラ軸が施術体側に設けられた軸受に保持される。
【００２４】
また、第１支持軸２８ａ、第２支持軸３８ａはそれぞれ、第１支持部２４、第２支持部３４から離れるほど互いに近づき、かつ、グリップ１０から離れるように延在している。同様に、第１支持軸２８ｂ、第２支持軸３８ｂはそれぞれ、第１支持部２４、第２支持部３４から離れるほど互いに近づき、かつ、グリップ１０から離れるように延在している。
【００２５】
第１支持部２４および第２支持部３４の少なくとも一方には、電気部品が内蔵される。図示の例では、第１支持部２４および第２支持部３４の両方に、電気部品、具体的には太陽電池パネルが内蔵される。
【００２６】
具体的には、第１支持部２４には孔２４ａが形成され、孔２４ａには受光レンズ２７が嵌着されている。そして受光レンズ２７の内側（第１支持部２４の内部）に、太陽電池パネルが配置されている。第１支持部２４に内蔵される太陽電池パネルのプラスの出力端子、マイナスの出力端子はそれぞれ、第１施術体４０ａ，４０ｂと電気的に接続されている。したがって、第１施術体４０が人体（頬）に触れると、太陽電池パネル、第１施術体４０ａ、人体、および第１施術体４０ｂを含む閉回路が形成されて人体に微弱電流が流れ、これにより血流の促進やリンパ液の循環の促進などが図られる。
【００２７】
同様に、第２支持部３４には孔３４ａが形成され、孔３４ａには受光レンズ３７が嵌着されている。そして受光レンズ３７の内側（第２支持部３４の内部）に、太陽電池パネルが配置されている。第２支持部３４に内蔵される太陽電池パネルのプラスの出力端子、マイナスの出力端子はそれぞれ、第２施術体５０ａ，５０ｂと電気的に接続されている。したがって、第２施術体５０が人体（頬）に触れると、太陽電池パネル、第２施術体５０ａ、人体、および第２施術体５０ｂを含む閉回路が形成されて人体に微弱電流が流れる。
【００２８】
変形例として、第１支持部２４に内蔵される太陽電池パネルのプラスの出力端子、マイナスの出力端子はそれぞれ、第１施術体４０、グリップ１０と電気的に接続されてもよい。この場合、グリップ１０を握って第１施術体４０を頬に当てると、すなわちグリップ１０および第１施術体４０が人体に触れると、太陽電池パネル、第１施術体４０、人体およびグリップ１０を含む閉回路が形成されて人体に微弱電流が流れる。同様に第２支持部３４に内蔵される太陽電池パネルのプラスの出力端子、マイナスの出力端子はそれぞれ、第２施術体５０、グリップ１０と電気的に接続されてもよい。この場合、グリップ１０を握って第２施術体５０を頬に当てると、すなわちグリップ１０および第２施術体５０が人体に触れると、太陽電池パネル、第２施術体５０、人体およびグリップ１０を含む閉回路が形成されて人体に微弱電流が流れる。
【００２９】
さらなる変形例として、第１支持部２４に内蔵される太陽電池パネルのプラスの出力端子が第１施術体４０と電気的に接続され、第２支持部３４に内蔵される太陽電池パネルのマイナスの出力端子が第２施術体５０と電気的に接続され、第１支持部２４に内蔵される太陽電池パネルのマイナスの出力端子と第２支持部３４に内蔵される太陽電池パネルのプラスの出力端子とが電気的に接続（すなわち直列に接続）されてもよい。この場合、第１支持部２４内の太陽電池パネル、第１施術体４０、人体、第２施術体５０、第２支持部３４内の太陽電池パネルを含む閉回路が形成されて人体に微弱電流が流れる。
【００３０】
第１施術体４０、第２施術体５０はそれぞれ、回転体すなわちローラであり、第１アーム２０、第２アーム３０に回転自在に支持される。第１施術体４０および第２施術体５０は、構成は特に限定されないが、図示の例では概ね球状に形成され、表面に多数の三角形の面を有する。本実施の形態では、第１施術体４０ａ，４０ｂ、第２施術体５０ａ，５０ｂは、同一の形状および大きさに形成される。
【００３１】
美容器１の使用者は、グリップ１０を持ち、第１施術体４０が左頬に当たり、第２施術体５０が右頬に当たるように第１施術体４０と第２施術体５０とで下顎を挟み、第１施術体４０および第２施術体５０がフェイスラインに沿うように美容器１を上下動させる。このとき、第１施術体４０と第２施術体５０とが互いに離れるように第１変形部２２および第２変形部３２は弾性変形し、それらの弾性力により、第１施術体４０、第２施術体５０が各頬に押し付けられている。
【００３２】
第１施術体４０、第２施術体５０が各頬に押し付けられている状態で美容器１を上下動させると、頬が摘まみ上げられたり押し広げられたりする。これについて図６〜８を参照して説明する。ここでは代表して第１施術体４０を例に説明するが、第２施術体５０についても同様の説明が当てはまる。
【００３３】
図６は第１施術体４０の使用状態を示す正面図である。図７、８は、第１施術体４０の使用状態を示す上面図である。第１施術体４０ａ，４０ｂは、第１支持部２４から離れるほど、第１施術体４０ａの回転軸Ｒａと第１施術体４０ｂの回転軸Ｒｂとの間隔が大きくなるように設けられる。そのため、第１施術体４０ａ，４０ｂを頬に押し付けた状態で美容器１を図６における矢印Ａ１方向に動かすと、図７に示すように第１施術体４０ａと第１施術体４０ｂとの間で肌が摘み上げられる。また、第１施術体４０ａ，４０ｂを頬に押し付けた状態で美容器１を図６における矢印Ａ２方向に動かすと、図８に示すように第１施術体４０ａと第１施術体４０ｂとの間で頬が押し広げられる。頬が摘み上げられ又は押し広げられることにより、接触部分の血流やリンパ液の循環が促進する。また、肌がリフトアップされて張りがでる。
【００３４】
図１〜４に戻る。ここで、第１施術体４０、第２施術体５０が押し付けられる力が強すぎると、その分、摘まみ上げる力が強くなり、肌に負担がかかる。また、美容器１を使用する人の顔が大きいほど、第１施術体４０と第２施術体５０とがより離れるように第１変形部２２および第２変形部３２が弾性変形するため、その分、第１変形部２２および第２変形部３２の弾性力が強くなり、第１施術体４０、第２施術体５０が各頬に押し付けられる力も大きくなる。
【００３５】
そこで本実施の形態では、第１施術体４０、第２施術体５０が的確な力で押し付けられるように第１変形部２２および第２変形部３２が構成される。具体的には、第１施術体４０ａの外表面と第２施術体５０ａの外表面との最短距離が１５０ｍｍであるときに、第１施術体４０ａおよび第２施術体５０ａがそれらの間に挟まれる対象（すなわち頬）を押し付ける力が１５〜２０Ｎとなるように、第１変形部２２および第２変形部３２が構成される。この場合、或る程度顔が小さい人でも、また或る程度顔が大きい人でも、第１施術体４０、第２施術体５０が各頬に押し付けられる力が推奨の範囲内となる。なお、第１施術体４０ａおよび第２施術体５０ａがそれらの間に挟まれる対象を押し付ける力は、例えばテンションゲージで測定される。
【００３６】
また、第１変形部２２および第２変形部３２が弾性変形していない状態において、第１施術体４０ａの外表面と第２施術体５０ａの外表面との最短距離Ｄ１と、第１施術体４０ｂの外表面と第２施術体５０ｂの外表面との最短距離Ｄ２とが異なっている。図示の例では、最短距離Ｄ１よりも最短距離Ｄ２が広くなっている。一例として、最短距離Ｄ１と最短距離Ｄ２の比は、１：４とする。一般に下顎は後ろ側ほど幅広であるところ、弾性変形していない状態での最短距離がより短い第１施術体４０ａおよび第２施術体５０ａが下顎の前側に当たり、最短距離がより長い第１施術体４０ｂおよび第２施術体５０ｂが下顎の後ろ側に当たるように美容器１を使用（以下、「順向きで使用」と呼ぶ）することで、第１施術体４０ａおよび第２施術体５０ａが頬を押し付ける力と第１施術体４０ｂおよび第２施術体５０ｂが頬を押し付ける力とを同程度にできる。
【００３７】
もちろん、第１施術体４０ａおよび第２施術体５０ａが下顎の後ろ側に当たり、第１施術体４０ｂおよび第２施術体５０ｂが下顎の前側に当たるように美容器１を使用（以下、「逆向きで使用」と呼ぶ）してもよく、この場合、各施術体の頬への当たり方が順向きで使用する場合と異なり、順向きで使用する場合と異なる体感を得られる。
【００３８】
なお変形例として、第１変形部２２および第２変形部３２が弾性変形していない状態において、第１施術体４０ａの外表面と第２施術体５０ａの外表面との最短距離Ｄ１と、第１施術体４０ｂの外表面と第２施術体５０ｂの外表面との最短距離Ｄ２とが同じであってもよい。
【００３９】
以上説明した本実施の形態によれば、各アームは、変形部と支持部とを含む。変形部は、第１施術体４０と第２施術体５０とが互いに離れるように弾性変形可能に構成され、その弾性力により、第１施術体４０、第２施術体５０が頬に押し付けられる。また支持部は、実質的に弾性変形不可能に、すなわち比較的高い剛性を有するように構成され、したがってこれらの少なくとも一方に電子部品を内蔵できる。つまり、設計自由度が比較的高く、使用者が楽に使用できる美容器１を提供できる。
【００４０】
また、本実施の形態によれば、第１施術体４０ａと第１施術体４０ｂとの間と、第２施術体５０ａと第２施術体５０ｂとの間で、頬が摘まみ上げられたり押し広げられたりする。これにより、各頬の血流やリンパ液の循環が促進する。また、施術体の移動が安定する。また、両頬を同時に摘まみ上げたり押し広げたりできるため、片方ずつ摘まみ上げたり押し広げたりする場合と比べて、時間を短縮（例えば半分に）できる。
【００４１】
また、本実施の形態によれば、第１変形部２２および第２変形部３２の弾性変形による弾性力により、第１施術体４０および第２施術体５０が的確な力で頬に押し付けられる。これにより、施術体を押し付ける力を使用者が調節する必要がなくなり、使用者の負担が低減する。なお、施術体は比較的高い剛性を有する支持部および支持軸に支持されるため、施術体の肌への当たり方が安定し、常に的確な力で施術体が頬に押し付けられる。また、第１アーム２０と第２アーム３０が左右対称に構成されているため、第１施術体４０、第２施術体５０が各頬を押し付ける力が同じになる。
【００４２】
また、本実施の形態によれば、第１支持軸２８ａ、第２支持軸３８ａはそれぞれ、第１支持部２４、第２支持部３４から離れるほど互いに近づき、かつ、グリップ１０から離れるように延在している。同様に、第１支持軸２８ｂ、第２支持軸３８ｂはそれぞれ、第１支持部２４、第２支持部３４から離れるほど互いに近づき、かつ、グリップ１０から離れるように延在している。これにより、頬をより持ち上げることが可能となる。
【００４３】
また、本実施の形態によれば、第１施術体４０、第２施術体５０から各頬に微弱電流が流れる。つまり、両頬に同時に微弱電流を流すことができる。また、上述のように、第１施術体４０、第２施術体５０が頬に押し付けられているため、施術体と人体との安定した電気的接続状態を実現できる。
【００４４】
また、例えば美容器１がアームを１つだけ備え、したがって施術体を第１アーム２０のみを備え、したがって施術体を２つだけ備える場合、右頬を摘まみ上げたり押し広げたりするときは右手で美容器１を使用し、左頬を摘まみ上げたり押し広げたりするときは左手で美容器１を使用することになる。つまり、一方の頬は利き手で美容器１を使用し、他方の頬は利き手ではない手で美容器１を使用することになる。利き手ではない手で美容器１を使用する場合、利き手で美容器１を使用する場合と比べて、施術体を頬に押し付ける力の調節は多少なりとも難しい。これに対し、本実施の形態によれば、第１変形部２２および第２変形部３２の弾性変形による弾性力により、第１施術体４０および第２施術体５０が的確な力で頬に押し付けられるため、利き手で美容器１を使用しようが利き手でない手で使用しようが、第１施術体４０および第２施術体５０を的確な力で頬に押し付けることができる。
【００４５】
また、本実施の形態によれば、第１施術体４０ａ、第１施術体４０ｂ、第２施術体５０ａおよび第２施術体５０ｂの各施術体は、概ね球状に形成される。これにより、各施術体の肌との接触面積は、当該施術体が例えば特許文献１のローラ式マッサージ器の押圧部材のような形状である場合と比べて広く、したがって安定して肌を摘まみ上げることができる。
【００４６】
（第２の実施の形態）
図９〜１２は、第２の実施の形態に係る美容器１の外観図である。図９は美容器１０１の斜視図であり、図１０は美容器１０１の正面図であり、図１１は美容器１０１の側面図であり、図１２は美容器１０１の上面図である。
【００４７】
美容器１０１は、第１アーム１２０および第２アーム１３０と、第１アーム１２０と第２アーム１３０とを連結する連結部（基部）１６０と、第１アーム１２０の一端側に設けられる第１施術体１４０と、第２アーム１３０の一端側に設けられる第２施術体１５０と、を備える。第１施術体１４０、第２施術体１５０はそれぞれ、回転体すなわちローラであり、第１アーム１２０、第２アーム１３０に回転自在に支持される。
【００４８】
第１アーム１２０および第２アーム１３０は、連結部１６０に対して左右対称となるように設けられる。第１アーム１２０は、連結部１６０から延びる第１変形部１２２と、第１変形部１２２の先端側（連結部１６０とは反対側）に接続される第１支持部１２４と、を含む。第２アーム１３０は、連結部１６０から延びる第２変形部１３２と、第２変形部１３２の先端側に接続される第２支持部１３４と、を含む。
【００４９】
第１変形部１２２および第２変形部１３２は、第１の実施の形態の第１変形部２２および第２変形部３２と同様に、第１施術体１４０と第２施術体１５０とが互いに離れるように弾性変形可能に構成される。本実施の形態では、第１変形部１２２および第２変形部１３２はグリップとしても機能する。
【００５０】
第１支持部１２４および第２支持部１３４は、第１の実施の形態の第１支持部２４および第２支持部３４と同様に、実質的に弾性変形不可能に、すなわち比較的高い剛性を有するように構成され、少なくとも一方には、電気部品が内蔵される。第１支持部１２４、第２支持部１３４はそれぞれ、先端側に接続される不図示の軸受を介して、第１施術体１４０、第２施術体１５０を回転自在に支持する。
【００５１】
第１施術体１４０および第２施術体１５０は、構成は特に限定されないが、図示の例では真ん中がくびれた楕円体状に形成され、表面に多数の三角形の面を有する。
【００５２】
本実施の形態では、第１施術体１４０、第２施術体１５０が的確な力で押し付けられるように、第１変形部１２２および第２変形部１３２が構成される。
【００５３】
以上説明した本実施の形態によれば、第１の実施の形態と同様の効果を奏することができる。
【００５４】
（第３の実施の形態）
第１、第２の実施の形態では、各アームが、第１施術体と第２施術体とが互いに離れるように弾性変形可能に構成される場合について説明した。第３の実施の形態では、各アームは、第１方向Ｐ１に平行な軸周りに弾性変形可能に構成される。なお、各アームは、第１施術体と第２施術体とが離れるように弾性変形可能であっても実質的に弾性変形不可能であってもよい。
【００５５】
具体的には、美容器１において、第１変形部２２および第２変形部３２が第１方向Ｐ１に平行な軸周りに弾性変形可能に構成される。
【００５６】
また、美容器１０１において、第１変形部１２２および第２変形部１３２が第１方向Ｐ１に平行な軸周りに弾性変形可能に構成される。
【００５７】
（第４の実施の形態）
図１３は、第４の実施の形態に係る美容器２０１を示す正面図である。図１３は図２に対応する。美容器２０１は、グリップ１０と、第１アーム２２０および第２アーム２３０と、２つの第１施術体４０ａ，４０ｂと、２つの第２施術体５０ａ，５０ｂと、を備える。第１アーム２２０は、第１変形部２２２と、第１支持部２４と、２つの第１支持軸２８ａ，２８ｂと、を含む。第２アーム３０は、第２変形部２３２と、第２支持部３４と、２つの第２支持軸３８ａ，３８ｂと、を含む。第１変形部２２２および第２変形部２３２はそれぞれ、芯材２６０と、芯材２６０を覆う柔軟なカバー２６２と、を含む。芯材２６０は、その全体が弾性変形可能に構成される。
【００５８】
本実施の形態によれば、第１の実施の形態と同様の効果を奏することができる。
【００５９】
（第５の実施の形態）
第１〜第４の実施の形態では、各アームの支持部が弾性変形不可能に構成される、すなわち各アームが弾性変形不可能な部分を含む場合について説明した。第５の実施の形態では、各アームの全体が弾性変形可能に構成される場合について説明する。以下、第１〜第４の実施の形態との違いに焦点を当てる。
【００６０】
図１４は、第５の実施の形態に係る美容器３０１を示す斜視図である。図１４は図１に対応する。美容器３０１は、グリップ１０と、第１アーム３２０および第２アーム３３０と、２つの第１施術体４０ａ，４０ｂと、２つの第２施術体５０ａ，５０ｂと、を備える。
【００６１】
本実施の形態では、第１アーム３２０は、第１変形部３２２と、第１変形部３２２の先端側から延びる２つの第１支持軸２８ａ，２８ｂと、を含む。また、第２アーム３３０は、第２変形部３３２と、第２変形部３３２の先端側から延びる２つの第２支持軸３８ａ，３８ｂと、を含む。
【００６２】
第１変形部３２２は、図１の第１変形部２２と第１支持部２４とを合わせた形状を有する。第２変形部３３２は、図１の第２変形部３２と第２支持部３４とを合わせた形状を有する。第１変形部３２２および第２変形部３３２は、それらの全体が弾性変形可能に構成される。
【００６３】
本実施の形態によれば、第１の実施の形態と同様の作用効果を奏することができる。
【００６４】
（第６の実施の形態）
図１５は、第６の実施の形態に係る美容器の正面図である。図１５は図２に対応する。美容器４０１は、グリップ１０と、第１アーム４２０と、第２アーム４３０と、第１接続部４２８と、第２接続部４３８と、第１施術体４０ａ，４０ｂと、第２施術体５０ａ，５０ｂと、を備える。第１アーム４２０および第２アーム４３０は、全体が実質的に弾性変形不可能に構成される。第１アーム４２０、第２アーム４３０はそれぞれ、第１接続部４２８、第２接続部４３８によりグリップ１０に接続されている。第１接続部４２８、第２接続部４３８は、第１施術体４０と第２施術体５０とが互いに離れたり近づいたりするように回動可能に第１アーム４２０、第２アーム４３０を保持する。また、第１接続部４２８、第２接続部４３８は、不図示の付勢部材（例えばバネ）を含んで構成され、第１施術体４０と第２施術体５０とが互いに近づく方向に第１アーム４２０、第２アーム４３０を付勢する。
【００６５】
なお、図示の例では、第１接続部４２８がグリップ１０と第１アーム４２０との間、第２接続部がグリップ１０と第２アーム４３０との間にそれぞれ設けられているが、これに限定されず、第１アーム４２０、第２アーム４３０がそれぞれグリップ１０に直接接続され、第１接続部４２８、第２接続部４３８がそれぞれ第１アーム４２０、第２アーム４３０の途中に設けられてもよい。
【００６６】
本実施の形態によれば、第１と同様の作用効果を奏することができる。
【００６７】
以上、本発明について実施の形態をもとに説明した。これらの実施の形態は例示であり、それらの各構成要素や各処理プロセスの組合せにいろいろな変形例が可能なこと、またそうした変形例も本発明の範囲にあることは当業者に理解されるところである。以下変形例を示す。
【００６８】
（変形例１）
実施の形態では、第１、第２施術体がそれぞれ回転体であり、第１アーム、第２アームに回転自在に支持される場合について説明したが、これに限られず、第１、第２施術体はそれぞれ非回転体であってもよい。すなわち、第１、第２施術体は、第１アーム、第２アームに対して回転しなくてもよい。この場合、美容器を上下動させると、第１施術体４０および第２施術体５０は各頬に押し付けられながら各頬を摺動する。
【００６９】
（変形例２）
第１の実施の形態では、第１施術体４０ａ，４０ｂ、第２施術体５０ａ，５０ｂが同じ大きさに形成される場合について説明したが、これに限られない。例えば第１施術体４０ａと第２施術体５０ａが、第１施術体４０ｂと第２施術体５０ｂが、それぞれ同じ大きさで、第１施術体４０ａ、第２施術体５０ａが第１施術体４０ｂ、第２施術体５０ｂよりも大きくてもよい。この場合、第１施術体４０ａの中心と第１施術体４０ｂの中心とを通る直線と、第２施術体５０ａの中心と第２施術体５０ｂの中心とを通る直線とが平行になるように各施術体を配置しても、第１変形部２２および第２変形部３２および弾性変形していない状態において、第１施術体４０ａと第２施術体５０ａとの最短距離Ｄ１よりも、第１施術体４０ｂと第２施術体５０ｂとの最短距離Ｄ２を長くできる。
【００７０】
（変形例３）
実施の形態では特に言及しなかったが、第１施術体４０ａと第１施術体４０ｂとの距離、および第２施術体５０ａと第２施術体５０ｂとの距離が、それぞれ調整可能であってもよい。第１施術体４０を例に説明すると、例えば第１施術体４０ａの回転軸Ｒａと第１施術体４０ｂの回転軸Ｒｂの間の角度を調整することにより、それらの間の距離が調整されてもよい。この場合、第１支持部２４は、公知の技術を用いて、第１施術体４０ａの回転軸Ｒａと第１施術体４０ｂの回転軸Ｒｂの間の角度が調整可能（例えば任意の角度に調整可能）で、かつ、回転軸Ｒａと回転軸Ｒｂとの角度を調整された角度に保持可能に構成されてもよい。
【００７１】
（変形例４）
実施の形態では特に言及しなかったが、第１支持部２４に対する第１支持軸２８ａ，２８ｂの角度、および第２支持部３４に対する第２支持軸３８ａ，３８ｂの角度が、それぞれ調整可能であってもよい。
【００７２】
図１６は、変形例に係る美容器５０１の正面図である。図１６は図２に対応する。この例では、支持部の先端部が、第１方向Ｐ１に直交する方向（紙面に垂直な方向）に平行な軸周りに回動可能で、かつ、所望の位置でロックされるよう構成される。
【００７３】
図１７は、別の変形例に係る美容器６０１の側面図である。図１７は図３に対応する。この例では、支持部の先端側が、第１方向Ｐ１（図１７では不図示）に平行な軸周りに回動可能で、かつ、所望の位置でロックされるよう構成される。
【００７４】
これらの変形例によれば、施術体が回転体であるか非回転体であるかを問わず、頬を持ち上げる強さを調節できる。またこれらの変形例によれば、施術体が回転体であれば、さらに摘まみ上げの強さを調節できる。
【００７５】
（変形例５）
第１の実施の形態では、施術体は、第１方向Ｐ１から見て、アームの延在方向に実質的に直交する方向に並ぶように設けられる場合について説明したが、これに限定されず、施術体は、第１方向Ｐ１から見て、アームの延在方向に実質的に平行に並ぶように設けられてもよい。
【００７６】
また、第１の実施の形態では、各アームの先端に２つの施術体が設けられる場合について説明したが、これに限定されず、各アームの先端に３つ以上の施術体が設けられてもよい。この場合、各アームの先端に設けられる３つ以上の施術体は、アームの延在方向に実質的に直交する方向に並ぶように設けられても、アームの延在方向に実質的に平行に並ぶように設けられてもよい。
【００７７】
また、各アームの先端に、アームの延在方向に実質的に直交する方向に並んだ施術体が複数組設けられてもよい。図１８は、変形例に係る美容器７０１を示す側面図である。図１８は図３に対応する。ここでは代表して第２アーム７３０および第２アーム７３０の先端に設けられる第２施術体５０を例に説明するが、第１アームおよび第１アームの先端に設けられる第１施術体についても同様の説明が当てはまる。
【００７８】
図示の例では、第２アーム７３０の先端に第２施術体５０ａおよび第２施術体５０ｂが２組設けられている。具体的には、第２アーム７３０は、第２変形部３２と、第２支持部７３４と、第２支持部７３４から延びる二組の第２支持軸３８ａ，３８ｂと、を含む。一組の第２支持軸３８ａ，３８ｂが第２支持部７３４の先端から延びて第２施術体５０ａ，５０ｂを回転自在に支持し、それよりもグリップ１０側からもう一組の第２支持軸３８ａ，３８ｂが延びて第２施術体５０ａ，５０ｂを回転自在に支持している。
【００７９】
また図示の例では、第２支持部７３４の先端側の第２支持軸３８ａ，３８ｂはそれぞれ、第２支持部７３４から離れるほどグリップ１０から離れるように延在している。一方、グリップ１０側の第２支持軸３８ａ，３８ｂはそれぞれ、第２支持部７３４から離れるほどグリップ１０に近づくように延在している。この場合、美容器７０１を上下動させると、先行する施術体で肌が押し広げられ、後行する施術体で肌が摘まみ上げられる。つまり、美容器１を一方向に移動させるだけで、肌の摘まみ上げと押し広げの両方を実現できる。
【００８０】
また、二組の第２支持軸３８ａ，３８ｂは、いずれも第２支持部７３４から離れるほどグリップ１０から離れるように、すなわち、いずれも図１８の先端側の第２支持軸３８ａ，３８ｂのように延在してもよい。また、二組の第２支持軸３８ａ，３８ｂは、いずれも第２支持部７３４から離れるほどグリップ１０に近づくように、すなわち、いずれも図１８のグリップ１０側の第２支持軸３８ａ，３８ｂのように延在してもよい。前者の場合、美容器７０１を上に移動させると二組の施術体により肌が押し広げられ、美容器７０１を下に移動させると二組の施術体により肌が摘まみ上げられる。後者の場合、美容器７０１を上に移動させると二組の施術体により肌が摘まみ上げられ、美容器１を下に移動させると二組の施術体により肌が押し広げられる。
【００８１】
（変形例６）
実施の形態および上述の変形例では、美容器が２つのアームを備える場合について説明したが、これに限定されず、美容器は３つ以上のアームを備えていてもよい。
【００８２】
（変形例７）
第１変形部２２および第２変形部３２は、それらの長手方向における一部分のみが弾性変形可能に構成されてもよい。例えば当該一部分の素材を他の部分と異なる素材であって弾性変形可能な素材で構成する場合、弾性変形可能な素材の使用量を削減でき、コストを低減できる。
【００８３】
図１９は、変形例に係る美容器７０１を示す正面図である。図１９は図２に対応する。この変形例では、第１変形部７２２は、長手方向における一部分である第１部分７２２ａが弾性変形可能な第１樹脂材料により形成され、他の部分である第２部分７２２ｂが実質的に弾性変形不可能なすなわち剛性が比較的高い第２樹脂材料により形成される。同様に、第２変形部７３２は、長手方向における一部分である第１部分７３２ａが弾性変形可能な第１樹脂材料により形成され、他の部分である第２部分７３２ｂが実質的に弾性変形不可能なすなわち剛性が比較的高い第２樹脂材料により形成される。この場合、第１変形部７２２および第２変形部７３２はそれぞれ第１樹脂材料と第２樹脂材料との二色成形品であってもよい。
【００８４】
図示の例では、第１変形部７２２の第１部分７２２ａおよび第２変形部７３２の第１部分７３２ａはそれぞれ、第１変形部７２２と第２変形部７３２との間隔が最大となる部分よりもグリップ１０側に設けられている。そして、第１変形部７２２の第１部分７２２ａは、第１変形部７２２の長手方向において第２部分７２２ｂに挟み込まれている。同様に、第２変形部７３２の第１部分７３２ａは、第２変形部７３２の長手方向において第２部分７３２ｂに挟み込まれている。この場合、第１アーム３２０と第２アーム３３０とが比較的広く拡がる。
【００８５】
なお、第１部分７２２ａ、第１部分７３２ａはそれぞれ、第１変形部７２２と第２変形部７３２との間隔が最大となる部分に、例えば第１変形部７２２、第２変形部７３２のグリップ１０とは反対の端部側に、設けられてもよい。この場合、施術体が頬を押し付ける力が比較的強くなる。
【００８６】
図２０は、変形例に係る美容器９０１を示す正面図である。図２０は図１３に対応する。この変形例では、第１変形部９２２および第２変形部９３２はそれぞれ、芯材９６０と、芯材９６０を覆う柔軟なカバー９６２と、を含む。芯材９６０は、長手方向における一部分である第１部分９６０ａが弾性変形可能に構成され、他の部分である第２部分９６０ｂが実質的に弾性変形不可能にすなわち比較的剛性が高く構成されてもよい。例えば芯材９６０は、第１部分９６０ａが第１樹脂材料により形成され、第２部分９６０ｂが第２樹脂材料により形成されてもよい。この場合、芯材９６０は、第１樹脂材料と第２樹脂材料との二色成形品であってもよい。
【００８７】
図示の例では、第１部分９６０ａは、第１変形部９２２と第２変形部９３２との間隔が最大となる部分よりもグリップ１０側に設けられている。そして、第１部分９６０ａは、芯材９６０の長手方向において第２部分９６０ｂに挟み込まれている。この場合、第１アーム３２０と第２アーム３３０とが比較的広く拡がる。
【００８８】
なお、第１部分９６０ａは第１変形部９２２と第２変形部９３２との間隔が最大となる部分に、例えば第１変形部９２２、第２変形部９３２のグリップ１０とは反対の端部側に設けられてもよい。この場合、施術体が頬を押し付ける力が比較的強くなる。
【００８９】
（変形例８）
実施の形態では特に言及しなかったが、美容器はアームが折りたたみ可能に構成されてもよい。
【００９０】
図２１は、変形例に係る美容器１００１を示す正面図である。図２１は図２に対応する。本変形例では、第１アーム１０２０および第２アーム１０３０は、それらの根本部分（すなわちグリップ１０の近傍）で折りたたみ可能に構成されている。第１アーム１０２０および第２アーム１０３０は特に、第１アーム１０２０および第２アーム１０３０は、グリップ１０を挟み込むように折りたたみ可能に構成される。
【００９１】
図２２は、変形例に係る美容器１１０１を示す正面図である。図２２は図２に対応する。本変形例では、第１アーム１０２０および第２アーム１０３０は、それらの略中央部分で折りたたみ可能に構成されている。
【００９２】
（変形例９）
図２３は、変形例に係る美容器のアームの断面図である。図２３は、図２のＢ−Ｂ線断面図に相当する。図２３に加えて図２を参照する。本変形例では、アームは断面が長尺状に形成され。第４方向Ｐ４は、第１アーム２０の断面形状の長尺方向を示す。第５方向Ｐ５は、第２アーム３０の断面形状の長尺方向を示す。各アームは特に、それらの断面の長尺方向同士の間隔Ｄ３が、第１方向Ｐ１に直交する方向（図２の紙面に垂直な方向、図２３の上下方向）に向かうほど、より具体的には第１施術体４０ａおよび第２施術体５０ａ側から第１施術体４０ｂおよび第２施術体５０ｂ側に向かうほど、離れるように構成される。
【００９３】
上述した実施の形態と変形例の任意の組み合わせもまた本発明の実施の形態として有用である。組み合わせによって生じる新たな実施の形態は、組み合わされる実施の形態および変形例それぞれの効果をあわせもつ。
【符号の説明】
【００９４】
１  美容器、  ２０  第１アーム、  ２２  第１変形部、  ２４  第１支持部、  ３０  第２アーム、  ３２  第２変形部、  ３４  第２支持部。
【図１】
2020010737.tif 000003
【図２】
2020010737.tif 000004
【図３】
2020010737.tif 000005
【図４】
2020010737.tif 000006
【図５】
2020010737.tif 000007
【図６】
2020010737.tif 000008
【図７】
2020010737.tif 000009
【図８】
2020010737.tif 000010
【図９】
2020010737.tif 000011
【図１０】
2020010737.tif 000012
【図１１】
2020010737.tif 000013
【図１２】
2020010737.tif 000014
【図１３】
2020010737.tif 000015
【図１４】
2020010737.tif 000016
【図１５】
2020010737.tif 000017
【図１６】
2020010737.tif 000018
【図１７】
2020010737.tif 000019
【図１８】
2020010737.tif 000020
【図１９】
2020010737.tif 000021
【図２０】
2020010737.tif 000022
【図２１】
2020010737.tif 000023
【図２２】
2020010737.tif 000024
【図２３】
2020010737.tif 000025